(57)【特許請求の範囲】
【請求項１】
剥離紙と、
この剥離紙の表面に粘着剤を介して仮着するとともに所望量の情報を表示可能なラベル本体と、を有する情報表示用ラベルであって、
前記ラベル本体は、
前記ラベル本体の最上層に位置する最上層部と、
前記最上層部の直下層に位置する最上層粘着剤層と、
前記最上層粘着剤層の直下層に位置する複数枚の積層ラベル片と、
前記複数枚の積層ラベル片の層間にそれぞれ位置する複数層の粘着剤層と、
前記複数枚の積層ラベル片の直下層に位置する最下層粘着剤層と、を有し、
前記最上層部は、
その一端部に形成する積層貼付け領域と、
この一端部とは反対側の他端部に形成する単層貼付け領域と、
この単層貼付け領域と前記積層貼付け領域との間に形成する積層情報表示領域と、から構成され、
前記最上層粘着剤層は、
前記最上層部の前記積層貼付け領域に相当する位置と、前記最上層部の前記単層貼付け領域に相当する位置と、の２つの位置にそれぞれ形成され、
前記複数枚の積層ラベル片は、
前記最上層部の前記単層貼付け領域に相当する長さ分だけ短く形成して前記最上層部により被覆され、
前記複数層の粘着剤層は、
前記最上層部の前記積層貼付け領域に相当する位置にそれぞれ形成され、
前記最下層粘着剤層は、
前記複数枚の積層ラベル片の最下層に位置する積層ラベル片の裏面全面に形成され前記剥離紙と仮着し、
かつ、
前記最上層部の前記積層情報表示領域は、
前記最上層部を非透明基材で構成することにより前記複数枚の積層ラベル片ともども前記情報を表示可能とし、
前記最上層部の前記単層貼付け領域は、
その裏面に形成する前記最上層粘着剤層を介して前記剥離紙と仮着可能であることを特徴とする情報表示用ラベル。
【請求項２】
前記積層情報表示領域は、
前記積層貼付け領域によりそれぞれの一端部を互いに貼り付けている複数枚の積層ラベル片を有することを特徴とする請求項１記載の情報表示用ラベル。
【請求項３】
前記積層情報表示領域は、
前記単層貼付け領域により被覆可能なそれぞれの他端部を自由端としている複数枚の積層ラベル片を有することを特徴とする請求項１記載の情報表示用ラベル。
【発明の詳細な説明】
【技術分野】
【０００１】
本発明は情報表示用ラベルにかかるもので、とくに薬品容器用ラベルなど、表示すべき情報が比較的多い情報表示用ラベルに関するものである。
【背景技術】
【０００２】
従来から、たとえば薬品容器などに貼り付けて必要な情報を表示する薬品容器用ラベルは、そのラベル表面のみに情報を表示するものがほとんどである。
しかしながら、従来のラベルでは情報表示面積が小さいために多くの情報を表示することができない。すなわち、薬品その他の商品の説明書など比較的多くの情報表示を必要としている場合に適当なラベルがないという問題がある。
【０００３】
たとえば、特許文献１のようにつづら折り状ないしＺ字状に折り畳んだラベルを貼り付けるようにして多くの情報を表示しようとするものもあるが、このＺ字状に折り畳んだラベルでは、その端部に形成しているミシン目などを破って内部のＺ字状の情報部分を確認するもので、一度開いた折畳み部を再び折り畳んで内部に戻すという手間が面倒であるという問題がある。
【先行技術文献】
【特許文献】
【０００４】
【特許文献１】実開平６−５５１６１号公報
【発明の概要】
【発明が解決しようとする課題】
【０００５】
本発明は以上のような諸問題にかんがみなされたもので、従来のラベルに比較して、より多くの情報を表示可能な情報表示用ラベルを提供することを課題とする。
【０００６】
また本発明は、表示した情報を再び元の状態に戻すことができるようにした情報表示用ラベルを提供することを課題とする。
【０００７】
また本発明は、複数枚にわたって表示した情報を容易に確認可能であるとともに、元の状態に容易に戻すことができる情報表示用ラベルを提供することを課題とする。
【課題を解決するための手段】
【０００８】
すなわち本発明は、情報表示用ラベルの一端部を薬品容器その他の被貼付け物に接着可能として見開き状態で情報を確認可能とすることに着目したもので、剥離紙と、この剥離紙の表面に粘着剤を介して仮着するとともに所望量の情報を表示可能なラベル本体と、を有する情報表示用ラベルであって、上記ラベル本体は、上記ラベル本体の最上層に位置する最上層部と、上記最上層部の直下層に位置する最上層粘着剤層と、上記最上層粘着剤層の直下層に位置する複数枚の積層ラベル片と、上記複数枚の積層ラベル片の層間にそれぞれ位置する複数層の粘着剤層と、上記複数枚の積層ラベル片の直下層に位置する最下層粘着剤層と、を有し、上記最上層部は、その一端部に形成する積層貼付け領域と、この一端部とは反対側の他端部に形成する単層貼付け領域と、この単層貼付け領域と上記積層貼付け領域との間に形成する積層情報表示領域と、から構成され、上記最上層粘着剤層は、上記最上層部の上記積層貼付け領域に相当する位置と、上記最上層部の上記単層貼付け領域に相当する位置と、の２つの位置にそれぞれ形成され、上記複数枚の積層ラベル片は、上記最上層部の上記単層貼付け領域に相当する長さ分だけ短く形成して上記最上層部により被覆され、上記複数層の粘着剤層は、上記最上層部の上記積層貼付け領域に相当する位置にそれぞれ形成され、上記最下層粘着剤層は、上記複数枚の積層ラベル片の最下層に位置する積層ラベル片の裏面全面に形成され上記剥離紙と仮着し、かつ、上記最上層部の上記積層情報表示領域は、上記最上層部を非透明基材で構成することにより上記複数枚の積層ラベル片ともども上記情報を表示可能とし、上記最上層部の上記単層貼付け領域は、その裏面に形成する上記最上層粘着剤層を介して上記剥離紙と仮着可能であることを特徴とする情報表示用ラベルである。
【０００９】
上記積層情報表示領域は、上記積層貼付け領域によりそれぞれの一端部を互いに貼り付けている複数枚の積層ラベル片を有することができる。
【００１０】
上記積層情報表示領域は、上記単層貼付け領域により被覆可能なそれぞれの他端部を自由端としている複数枚の積層ラベル片を有することができる。
【００１１】
上記ラベル本体の最上層部は、上記積層貼付け領域の最上層部と、上記単層貼付け領域と、上記積層情報表示領域の最上層部と、からこれを構成することができる。
【００１２】
上記ラベル本体の最上層部は、これを透明基材から構成することができる。
【００１３】
上記ラベル本体の最上層部は、これを非透明基材から構成することができる。
【００１４】
上記ラベル本体の最下層部は、上記粘着剤を介して上記剥離紙に仮着していることができる。
【００１５】
上記積層貼付け領域は、積層ラベル片と粘着剤層とを交互に積層していることができる。
【００１６】
上記単層貼付け領域は、上記粘着剤を介して上記剥離紙に仮着可能であることができる。
【００１７】
上記複数枚の積層ラベル片は、上記ラベル本体の最上層部より短くこれを形成していることができる。
【００１８】
上記積層ラベル片のそれぞれに必要な情報を表示可能とし、あるいは必要であれば上記ラベル本体の最上層部における上記積層情報表示領域の最上層部にも情報を表示可能とすることができる。
【発明の効果】
【００１９】
本発明による情報表示用ラベルにおいては、ラベル本体が、積層貼付け領域と、単層貼付け領域と、積層情報表示領域と、を有するようにしたので、被貼付け物に対して単層貼付け領域により積層情報表示領域全体を開閉可能としているとともに、積層情報表示領域に所望量の情報を表示可能として、必要な情報量を簡単に確認可能に表示することができる。
【図面の簡単な説明】
【００２０】
【図１】本発明の実施例による情報表示用ラベル１の平面図である。
【図２】同、図１のＩＩ−ＩＩ線断面図である。
【図３】同、情報表示用ラベル１のラベル本体３を薬品容器Ｃ（被貼付け物）に貼り付けた状態からその最上層部３Ａを開いた状態の斜視図である。
【発明を実施するための形態】
【００２１】
本発明は、薬品容器などの被貼付け物に貼り付けた積層貼付け領域を基部として積層情報表示領域をブックタイプ式に見開きで見ることができるようにしたので、比較的情報量が多い場合であっても、これをコンパクトに表示可能とした情報表示用ラベルを実現した。
【実施例】
【００２２】
つぎに、本発明の実施例による情報表示用ラベルを図１ないし図３にもとづき説明する。
図１は、一例として帯状に形成した状態の情報表示用ラベル１の平面図、図２は、図１のＩＩ−ＩＩ線断面図であって、情報表示用ラベル１は、帯状の剥離紙２と、剥離紙２に仮着しているとともに所望量の情報を表示可能なラベル本体３と、を有する。
【００２３】
ラベル本体３は、その一端部（情報表示用ラベル１の移送方向下流側、図１中左側）に細幅矩形状に形成する積層貼付け領域４と、この一端部とは反対側の他端部（情報表示用ラベル１の移送方向上流側、図１中右側）に積層貼付け領域４よりはやや広く細幅矩形状に形成する単層貼付け領域５と、この単層貼付け領域５と積層貼付け領域４との間に矩形状に積層構造として形成している積層情報表示領域６と、を有する。
【００２４】
剥離紙２は、その表面が剥離性を有し、ラベル本体３の最下層粘着剤層７および最上層粘着剤層８における粘着剤によりラベル本体３をその表面に仮着している。なお最上層粘着剤層８は、図２に示すように、積層情報表示領域６から外方に突出してラベル本体３の単層貼付け領域５の裏面に露出する。
【００２５】
積層情報表示領域６は、複数枚（図示の例では４枚）の積層ラベル片９を有する。
積層ラベル片９は、積層貼付け領域４によりそれぞれの一端部を互いに貼り付けているとともに、単層貼付け領域５により被覆可能なそれぞれの他端部を自由端としている。すなわち、複数枚の積層ラベル片９は、ラベル本体３の最上層部３Ａより短くこれを形成している。
【００２６】
積層貼付け領域４は、ラベル本体３の最上層部３Ａおよびそれぞれの積層ラベル片９と、最上層粘着剤層８、複数層（図示の例では三層）の粘着剤層１０および最下層粘着剤層７と、を交互に積層することにより、ラベル本体３の積層一端部を一体に固定している。
【００２７】
単層貼付け領域５は、ラベル本体３の最上層部３Ａであって、その裏面に最上層粘着剤層８が露出可能である。
【００２８】
ラベル本体３の最上層部３Ａは、積層貼付け領域４の最上層部４Ａと、単層貼付け領域５と、積層情報表示領域６の最上層部６Ａと、からこれを構成し、これをたとえば透明基材から構成したラミネートフィルムとすることができ、最上層粘着剤層８を透明材料から形成すれば、下層側の最上層に位置する積層ラベル片９を表面から透視可能とする。
また、ラベル本体３の最下層部３Ｂ（最下層部に位置する積層ラベル片９）は、最下層粘着剤層７（粘着剤）を介して剥離紙２に仮着している。
【００２９】
なお、ラベル本体３の最上層部３Ａは、これを非透明基材から構成し、下層側の積層ラベル片９とともに積層情報表示領域６として情報を表示することもできる。
このようにラベル本体３の最上層部３Ａを非透明基材から構成する場合には、先に説明した最上粘着剤層８を複数層の粘着剤層１０と同じような長さにすればよい。
【００３０】
単層貼付け領域５は、最上層粘着剤層８（粘着剤）を介して剥離紙２に仮着可能であるとともに、被貼付け物（たとえば図３の薬品容器Ｃ）に貼り付け可能である。
【００３１】
こうした構成の情報表示用ラベル１において、それぞれの積層ラベル片９に必要な情報をあらかじめ印刷し、剥離紙２上に等間隔で仮着し、たとえば自動貼付け機（図示せず）に装填して、その積層貼付け領域４側を先頭に剥離紙２から剥離し、必要な被貼付け物に貼り付ける。
すなわち、図３は、情報表示用ラベル１のラベル本体３を薬品容器Ｃ（被貼付け物）に貼り付けた状態からその最上層部３Ａを開いた状態の斜視図であって、図２に示したラベル本体３における最下層粘着剤層７および最上層粘着剤層８により薬品容器Ｃに貼り付ける。
【００３２】
ラベル本体３の最上層部３Ａを透明基材により構成した場合には、この最上層部３Ａを通して下層部における最上層の積層ラベル片９の情報を確認することができる。
また、ラベル本体３の最上層部３Ａを非透明基材により構成した場合には、この最上層部３Ａにも情報を記載してこれを確認することができる。
さらに、単層貼付け領域５を薬品容器Ｃからはがして開放することにより、積層貼付け領域４において固定されているすべての積層ラベル片９を本の頁をめくるようにして、それぞれの積層ラベル片９上の情報を読み取ることができる。
【００３３】
さらに、情報を読み取ったのちには、積層ラベル片９を被覆するように単層貼付け領域５を薬品容器Ｃ上に再び貼り付けることにより、すべての積層ラベル片９を元とおりに納めることができる。
【００３４】
かくして、従来より多くの情報を表示可能であるとともに、その読取り操作および再度の納め操作も容易であり、表示すべき情報が比較的多い薬品容器Ｃなどに貼り付けて利用することができる。
【符号の説明】
【００３５】
１  情報表示用ラベル（実施例、図１）
２  剥離紙
３  ラベル本体
３Ａ  ラベル本体３の最上層部
４  ラベル本体３の積層貼付け領域
４Ａ  積層貼付け領域４の最上層部
５  ラベル本体３の単層貼付け領域
６  ラベル本体３の積層情報表示領域
６Ａ  積層情報表示領域６の最上層部
７  最下層粘着剤層
８  最上層粘着剤層
９  積層ラベル片
１０  粘着剤層
Ｃ    薬品容器（被貼付け物、図３）
【図１】
0005378820.tif 000002
【図２】
0005378820.tif 000003
【図３】
0005378820.tif 000004